Podtech/llm-jp-corpus-v4-ja_patent huggingface dataset:
【手続補正書】
【提出日】平成27年5月1日(2015.5.1)
【手続補正１】
【補正対象書類名】特許請求の範囲
【補正対象項目名】全文
【補正方法】変更
【補正の内容】
【特許請求の範囲】
【請求項１】
単離されたサブチリシン変異体であって、前記サブチリシン変異体がタンパク質分解活性を有する成熟型であり、かつ次から選択される位置にアミノ酸置換の組み合わせを含むアミノ酸配列を含み：
2014522235.tif 000001
サブチリシン変異体のアミノ酸位置が配列番号１に示すバチルス・アミロリケファシエンスのサブチリシンＢＰＮ’のアミノ酸配列の対応するアミノ酸位置に割り振られた番号に従って番号付けされる、単離されたサブチリシン変異体。
【請求項２】
前記サブチリシン変異体がバチルス・レンタスのサブチリシンＧＧ３６プロテアーゼのサブチリシン変異体であり、前記バチルス・レンタスのサブチリシンＧＧ３６プロテアーゼが配列番号２に示すアミノ酸配列を含む、請求項１に記載の単離されたサブチリシン変異体。
【請求項３】
前記サブチリシン変異体が配列番号２に示すアミノ酸配列を含むバチルス・レンタスのサブチリシンＧＧ３６プロテアーゼに対して少なくとも８０％のアミノ酸同一性を有する、請求項１または２に記載の単離されたサブチリシン変異体。
【請求項４】
前記変異体の総正味電荷が、バチルス・レンタスのサブチリシンＧＧ３６プロテアーゼの総正味電荷を基準にして、０、＋１、＋２、＋３、＋４、＋５、−１、−２、−３、−４、又は−５である、請求項１、２、および３のいずれか一項に記載の単離されたサブチリシン変異体。
【請求項５】
前記総正味電荷が次から選択される１つ以上の置換によって得られ：
2014522235.tif 000002
前記プロテアーゼ変異体のアミノ酸位置が配列番号１に示すバチルス・アミロリケファシエンスのサブチリシンＢＰＮ’のアミノ酸配列の対応するアミノ酸位置に割り振られた番号に従って番号付けされる、請求項１〜４のいずれか一項に記載の単離されたサブチリシン変異体。
【請求項６】
前記総正味電荷が次から選択される１つ以上の置換によって得られ：
2014522235.tif 000003
前記プロテアーゼ変異体のアミノ酸位置が配列番号１に示すバチルス・アミロリケファシエンスのサブチリシンＢＰＮ’のアミノ酸配列の対応するアミノ酸位置に割り振られた番号に従って番号付けされる、請求項１〜４のいずれか一項に記載の単離されたサブチリシン変異体。
【請求項７】
前記単離されたサブチリシン変異体が次の特性：ａ）少なくとも１．１、少なくとも１．２、少なくとも１．３、少なくとも１．４、少なくとも１．５、少なくとも１．６、少なくとも１．７、少なくとも１．８、少なくとも１．９、少なくとも２、１．１〜約１０、１．１〜約８、又は更には１．１〜約５である試験方法２による性能指数；ｂ）少なくとも１．１、少なくとも１．２、少なくとも１．３、少なくとも１．４、少なくとも１．５、少なくとも１．６、少なくとも１．７、少なくとも１．８、少なくとも１．９、少なくとも２、１．１〜約１０、１．１〜約８、又は更には１．１〜約５である試験方法３による性能指数；ｃ）少なくとも１．０、少なくとも１．１、少なくとも１．２、少なくとも１．３、少なくとも１．４、少なくとも１．５、少なくとも１．６、少なくとも１．７、少なくとも１．８、少なくとも１．９、少なくとも２、１．０〜約１０、１．０〜約８、又は更には１．０〜約５である試験方法４による性能指数；及び／又はｄ）少なくとも１．０、少なくとも１．１、少なくとも１．２、少なくとも１．３、少なくとも１．４、少なくとも１．５、少なくとも１．６、少なくとも１．７、少なくとも１．８、少なくとも１．９、少なくとも２、１．０〜約１０、１．０〜約８、又は更には１．０〜約５である試験方法６による性能指数；及び／又はｅ）少なくとも１．１、少なくとも１．２、少なくとも１．３、少なくとも１．４、少なくとも１．５、少なくとも１．６、少なくとも１．７、少なくとも１．８、少なくとも１．９、少なくとも２、１．１〜約１５、１．１〜約１０、又は更には１．１〜約７である試験方法７による性能指数、の１つ以上を有する、請求項１〜６のいずれか一項に記載の単離されたサブチリシン変異体。
【請求項８】
請求項１〜７のいずれか一項で提供されるサブチリシン変異体をコードするポリヌクレオチド配列を含む単離された核酸。
【請求項９】
請求項８に記載の核酸を含む発現ベクター。
【請求項１０】
請求項９のいずれか一項に記載の発現ベクターを含む宿主細胞。
【請求項１１】
請求項１〜７のいずれか一項に記載のサブチリシン変異体を少なくとも１種含む組成物であって、布地ケア及びホームケア製品である組成物。
【請求項１２】
少なくとも１種の漂白剤を更に含む、請求項１１に記載の組成物。
【請求項１３】
前記少なくとも１種の追加酵素が、ヘミセルラーゼ、セルラーゼ、ペルオキシダーゼ、プロテアーゼ、メタロプロテアーゼ、キシラナーゼ、リパーゼ、ホスホリパーゼ、エステラーゼ、ペルヒドロラーゼ、クチナーゼ、ペクチナーゼ、ペクチン酸リアーゼ、マンナナーゼ、ケラチナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、及びアミラーゼ、又はこれらの任意の組み合わせから選択される、請求項１１または１２に記載の組成物。
【請求項１４】
前記サブチリシン変異体が冷水用プロテアーゼ変異体ではない、請求項１１、１２、および１３のいずれか一項に記載の組成物。
【請求項１５】
前記表面又は物品のそれぞれと前記クリーニング組成物とを接触させた後に前記表面又は物品のすすぎを更に含む、請求項４４〜４５のいずれか一項に記載の方法。
【手続補正書】
【提出日】平成27年8月10日(2015.8.10)
【手続補正１】
【補正対象書類名】特許請求の範囲
【補正対象項目名】全文
【補正方法】変更
【補正の内容】
【特許請求の範囲】
【請求項１】
表面の一方の側面に置かれた１対の送信側電極を有する送信側機器から、ワイヤレスで電力を受け取る電力受信側機器であって、
前記１対の送信側電極との容量性結合のための１対の受信側電極と、
前記１対の受信側電極のそれぞれと前記表面の他方の側面との間に置かれた変形可能な伝送層と、
を含み、
電力ドライバによって生成された電力信号が、前記電力受信側機器内に含まれる負荷に給電するように、前記１対の送信側電極から前記１対の受信側電極に、ワイヤレスで伝送され、
前記変形可能な伝送層は、複数のチャンバを含み、前記複数のチャンバは液体で満たされている、電力受信側機器。
【請求項２】
前記変形可能な伝送層は、弾性材料で作られている、請求項１に記載の電力受信側機器。
【請求項３】
前記変形可能な伝送層は、高い誘電率を有する材料で作られている、請求項１に記載の電力受信側機器。
【請求項４】
前記変形可能な伝送層は、シリコーンで作られている、請求項１に記載の電力受信側機器。
【請求項５】
前記変形可能な伝送層は、導電性材料で作られている、請求項１に記載の電力受信側機器。
【請求項６】
前記変形可能な伝送層は、ハイドロゲルで作られている、請求項１に記載の電力受信側機器。
【請求項７】
前記液体は水である、請求項１に記載の電力受信側機器。
【請求項８】
前記負荷は、前記電力受信側機器内のインダクタと直列にあり、前記電力信号の周波数は、前記電力受信側機器内の前記インダクタと、前記１対の送信側電極に結合された前記１対の受信側電極の容量性インピーダンスとの直列共振周波数に実質的に一致する、請求項１に記載の電力受信側機器。
【手続補正書】
【提出日】平成27年5月21日(2015.5.21)
【手続補正１】
【補正対象書類名】特許請求の範囲
【補正対象項目名】全文
【補正方法】変更
【補正の内容】
【特許請求の範囲】
【請求項１】
リネンオイルまたはリネンオイルと魚オイルの脂肪酸のエチルエステルを含有する健康増進食材であって、
タンパク質−炭水化物マトリックス内に、少なくとも９９．８％の薬剤用無水エタノールに基づいて、４重量％を超えないエタノールが添加されているＡＬＡ（α−リノレン酸、ｎ−３）、ＬＡ（リノール酸、ｎ−６）、またはＡＬＡ（α−リノレン酸、ｎ−３）、ＬＡ（リノール酸、ｎ−６）、ＤＨＡ（ドコサヘキサエン酸、ｎ−３）、ＥＰＡ（エイコサペンタエン酸、ｎ−３）の酸の生物活性エチルエステルの２μｍ未満の径の液滴の形態の栄養補助食品を含んだ粉末形態のマイクロカプセルを含む、食材。
【請求項２】
前記マイクロカプセルの直径は１０μｍから５００μｍである、請求項１記載の食材。
【請求項３】
タンパク質としての前記タンパク質−炭水化物マトリックス内にて、少なくとも３０重量％のタンパク質及び／又は植物タンパク質が利用される、請求項１記載の食材。
【請求項４】
炭水化物としての前記タンパク質−炭水化物マトリックス内にて、多糖体の低糖化マルトデキストリンが利用される、請求項１記載の食材。
【請求項５】
前記タンパク質−炭水化物マトリックスは、５重量％までの風味−着色添加物を含むことができる、請求項１記載の食材。
【請求項６】
成分を混合、均質化および乾燥させてリネンオイルまたはリネンオイルと魚オイルの脂肪酸のエチルエステルを含有する健康増進食材を製造する方法であって、
液体のタンパク質−炭水化物マトリックスを得た後に、そこにＡＬＡ（α−リノレン酸、ｎ−３）、ＬＡ（リノール酸、ｎ−６）、またはＡＬＡ（α−リノレン酸、ｎ−３）、ＬＡ（リノール酸、ｎ−６）、ＤＨＡ（ドコサヘキサエン酸、ｎ−３）、ＥＰＡ（エイコサペンタエン酸、ｎ−３）の酸の生物活性エチルエステルを含有した栄養補助食品を導入するステップと、
安定形態のエマルジョンが得られるまで、物理的撹拌によってエステル相の分散を実行するステップと、
続いて前記エマルジョンを２ステージの加圧均質化の２ステップで処理するステップと、を含んでおり、
その第１ステージの第１ステップは少なくとも２０ＭＰａの圧力で、第２ステップは４ＭＰａの圧力で処理するものであり、第２ステージの第１ステップは少なくとも３０ＭＰａの圧力で、第２ステップは１０ＭＰａの圧力で処理するものであり、前記第１ステージの均質化は前記エマルジョンの熱処理を伴っており、該エマルジョンは入口で１６０℃から１９０℃である乾燥室の雰囲気中にて噴霧乾燥され、粉末が中性気体雰囲気内に排出される、方法。
【請求項７】
前記第１ステージの均質化後で前記第２ステージの均質化前に、前記エマルジョンは５０℃から７０℃に熱せられた後に６時間放置される、請求項６記載の方法。
【請求項８】
マトリックス成分、すなわちタンパク質と多糖体とを温度が３０℃の水に溶解させ、続いて、タンパク質の水化処理を施し、栄養補助食品が導入されることによって前記エマルジョンの連続相が得られる、請求項６記載の方法。
【請求項９】
前記タンパク質水化処理は２５℃から３５℃で実施される、請求項６または８記載の方法。
【請求項１０】
前記第１ステージでの前記エマルジョンの加圧均質化は、前記第１ステップでは２０ＭＰａから２５ＭＰａの圧力で、前記第２ステップでは４ＭＰａから５ＭＰａの圧力で実施される、請求項６記載の方法。
【請求項１１】
前記熱処理時に、前記安定エマルジョンは５０℃から６５℃に加熱され、低温滅菌され、１０℃に冷却される、請求項６記載の方法。
【請求項１２】
前記第２ステージでの前記エマルジョンの加圧均質化は、前記第１ステップでは４０℃から７０℃の温度で３０ＭＰａから６０ＭＰａの圧力で、前記第２ステップでは１０ＭＰａから１５ＭＰａの圧力にて実施される、請求項６記載の方法。
【請求項１３】
前記健康増進食材の保存および搬出は中性気体雰囲気内で実施される、請求項６記載の方法。
【手続補正２】
【補正対象書類名】明細書
【補正対象項目名】００１２
【補正方法】変更
【補正の内容】
【００１２】
【特許文献１】ポーランド特許ＰＬ２０１９５９号
【特許文献２】ポーランド特許第ＰＬ２０３６８６号
【特許文献３】ポーランド特許願ＰＬ３８６６０７号
【特許文献４】中国特許公開ＣＮ１０１９０２４０号
【特許文献５】米国特許公開第２００４／０１７０１７Ａ１
【手続補正３】
【補正対象書類名】明細書
【補正対象項目名】００１７
【補正方法】変更
【補正の内容】
【００１７】
発明の概要
本発明の目的と課題は、リネンオイルまたはリネンオイルと魚オイルの脂肪酸のエチルエステルを含有した健康増進食材によって解決されるが、これは、タンパク質−炭水化物マトリックスに、少なくとも９９．８％の無水薬剤エタノールに基づいた４重量％を超えないＡＬＡ（α−リノレン酸、ｎ−３）、ＬＡ（リノール酸、ｎ−６）またはＡＬＡ（α−リノレン酸、ｎ−３）、ＬＡ（リノール酸、ｎ−６）、ＤＨＡ（ドコサヘキサエン酸、ｎ−３）、ＥＰＡ（エイコサペンタエン酸、ｎ−３）である酸の生物活性エチルエステルを追加的に含んだ２μｍ未満の径の液滴の形態の栄養補助食品を含んだ粉末形態の微小カプセルで成る。
【手続補正４】
【補正対象書類名】明細書
【補正対象項目名】００２２
【補正方法】変更
【補正の内容】
【００２２】
本発明の特徴は、成分の混合、それら成分の均質混合化および乾燥によって、脂肪酸、特にリネンオイルまたはリネンオイルと魚オイルのエチルエステルを含んだ健康増進食材の入手方法でもあり、液体タンパク質−炭水化物マトリックスを得た後に、ＡＬＡ（α−リノレン酸、ｎ−３）、ＬＡ（リノール酸、ｎ−６）またはＡＬＡ（α−リノレン酸、ｎ−３）、ＬＡ（リノール酸、ｎ−６）、ＤＨＡ（ドコサヘキサエン酸、ｎ−３）、ＥＰＡ（エイコサペンタエン酸、ｎ−３）である酸の生物活性エチルエステルを含んだ栄養補助食品が加えられ、安定形態のエマルジョンが得られるまで物理的に撹拌してエステル相が分散され、続いて２ステップおよび２ステージの圧力均質化によって処理される。この第１ステージにおいて、第１ステップでは少なくとも２０ＭＰａの圧力であり、第２ステップでは４ＭＰＡａの圧力であり、第２ステージにおいて、第１ステップでは少なくとも３０ＭＰａの圧力であり、第２ステップでは１０ＭＰａの圧力であり、第１ステージの均質化はエマルジョンの熱処理が伴うプロセスで実行され、続いて乾燥室の入口が１６０℃から１９０℃である雰囲気内で噴霧乾燥され、その粉末は中性気体雰囲気内に排出される。
【手続補正書】
【提出日】平成27年4月6日(2015.4.6)
【手続補正１】
【補正対象書類名】特許請求の範囲
【補正対象項目名】全文
【補正方法】変更
【補正の内容】
【特許請求の範囲】
【請求項１】
第１物体及び第２物体の相対移動を誘導すると共に、前記第１物体に関して配置されるように構成された３Ｄ誘導システムであって、該３Ｄ誘導システムは、
前記第２物体の３Ｄ走査を実施するように構成された３Ｄ走査器と、
持続的コンピュータ可読媒体であって、少なくとも、
前記第２物体の３Ｄモデル、
前記第２物体の３Ｄ走査の結果から、前記第１物体及び前記第２物体の現在相対配置を決定するプログラムコード、及び、
前記現在相対配置から第１の好適相対配置に向かう前記第１物体及び前記第２物体の相対移動を誘導する情報を算出するプログラムコード、
を一時的に記憶すべく構成される持続的コンピュータ可読媒体と、
算出された前記情報を操作者に対して表示するように構成された情報表示デバイスと、
を具備する３Ｄ誘導システム。
【請求項２】
前記情報表示デバイスが、前記情報に基づく誘導信号を前記第２物体の領域上へと投射するように構成された投射デバイスを具備する請求項１に記載の３Ｄ誘導システム。
【請求項３】
前記持続的コンピュータ可読媒体が、前記３Ｄモデルから、前記第１物体及び前記第２物体の間の前記第１の好適相対配置を導出するプログラムコードを更に記憶する請求項１又は２に記載の３Ｄ誘導システム。
【請求項４】
当該３Ｄ誘導システムが、前記第１物体及び前記第２物体の間における複数の更なる好適相対配置を導出するプログラムコードを含み、前記第１の好適相対配置及び前記複数の更なる好適相対配置は、協働して、前記第１物体及び前記第２物体の相対移動の好適経路を形成し、且つ、当該３Ｄ誘導システムが、前記好適経路に従い前記相対移動を誘導するように構成される請求項１から３のいずれか一項に記載の３Ｄ誘導システム。
【請求項５】
前記複数の更なる好適相対配置の内の１つ又は複数の好適相対配置は、前記第１物体の遠位端の少なくとも一部が前記第２物体の表面下に配置される配置に対応し、前記３Ｄモデルが、前記第２物体の内部構造に関するデータを含む請求項４に記載の３Ｄ誘導システム。
【請求項６】
前記第２物体の前記３Ｄモデルが、前記第２物体に関するデータと、前記第２物体の企図された改変内容に関するデータとを含む請求項１から５のいずれか一項に記載の３Ｄ誘導システム。
【請求項７】
前記第２物体が患者の下顎又は上顎に関連し、且つ、
前記企図された改変内容が、歯科的インプラントを受容するために前記下顎若しくは前記上顎に画成されるように企図された孔に対応する請求項６に記載の３Ｄ誘導システム。
【請求項８】
前記好適経路が、歯科用穿孔工具が当該好適経路に沿って誘導される際に前記孔を前記下顎若しくは前記上顎内に穿孔することを提供するように構成される請求項７に記載の３Ｄ誘導システム。
【請求項９】
前記３Ｄモデルから前記第１の好適相対配置を導出する前記プログラムコードが、前記企図された改変内容を考慮するように構成される請求項７又は８に記載の３Ｄ誘導システム。
【請求項１０】
前記３Ｄモデルが、前記第２物体の走査済み領域の表面に関するデータを含む請求項１から９のいずれか一項に記載の３Ｄ誘導システム。
【請求項１１】
前記第２物体の前記内部構造が、神経、歯の歯根部分、又は、下顎及び／又は上顎の骨構造、骨構造、動脈又は静脈を有する請求項５から１０のいずれか一項に記載の３Ｄ誘導システム。
【請求項１２】
前記誘導信号が位置決め信号を含む請求項２から１１のいずれか一項に記載の３Ｄ誘導システム。
【請求項１３】
前記位置決め信号が前記第２物体上における前記目標領域の位置を示す請求項１２に記載の３Ｄ誘導システム。
【請求項１４】
前記誘導信号が配向信号を含む請求項２から１３のいずれか一項に記載の３Ｄ誘導システム。
【請求項１５】
前記配向信号が、前記第１の好適相対配置の配向と比較された前記現在相対配置の配向の相違に関する情報を提供する請求項１４に記載の３Ｄ誘導システム。
【請求項１６】
前記位置決め信号は、前記第１物体及び前記第２物体が前記第１の好適相対配置に接近するときに前記位置インディケータの色が変化するように構成された位置決め用色コードを含む請求項１２から１５のいずれか一項に記載の３Ｄ誘導システム。
【請求項１７】
前記配向信号は、前記第１物体及び前記第２物体が前記第１の好適相対配置に接近するときに前記配向インディケータの色が変化するように構成された配向用色コードを含む請求項１４から１６のいずれか一項に記載の３Ｄ誘導システム。
【請求項１８】
前記誘導信号がインディケータ信号を含み、且つ、
前記配向信号は、前記第１物体及び前記第２物体が前記第１の好適相対配置の配向に従い配置されたときに、前記インディケータ信号と一致する請求項１４から１７のいずれか一項に記載の３Ｄ誘導システム。
【請求項１９】
前記第１物体が手持ちデバイスであり、当該３Ｄ誘導システムの前記情報表示デバイスが、前記情報が誘導信号として表示されるディスプレイを有し、前記情報表示デバイスが、当該３Ｄ誘導システムの手持ちされる一部分の一体的部分である請求項１から１８のいずれか一項に記載の３Ｄ誘導システム。
【請求項２０】
第１物体及び第２物体の誘導式相対移動を提供する方法であって、
３Ｄ走査器を具備する３Ｄ誘導システムが取付けられる前記第１物体を獲得することと、
前記第２物体と、該第２物体の３Ｄモデルとを獲得すると共に、該３Ｄモデルから、前記第１物体及び前記第２物体の間の第１の好適相対配置を導出することと、
移動手順であって、
ａ）前記３Ｄ走査器を用いて前記第２物体の少なくとも１つの領域を３Ｄ走査すると共に該３Ｄ走査の結果から前記第１物体及び前記第２物体の現在相対配置を決定することと、
ｂ）前記現在相対配置から前記第１の好適相対配置に向かう前記第１物体及び前記第２物体の相対移動を誘導する情報を算出することと、
ｃ）前記第１の好適相対配置に向かう前記第１物体及び前記第２物体の相対移動を提供することであって、前記算出された情報が前記相対移動を誘導すべく使用されることと、
を含む移動手順を実施することと、を含む方法。
【手続補正書】
【提出日】平成27年5月7日(2015.5.7)
【手続補正１】
【補正対象書類名】特許請求の範囲
【補正対象項目名】全文
【補正方法】変更
【補正の内容】
【特許請求の範囲】
【請求項１】
果汁をスプレーするためのデバイスであって、前記デバイスは、
上部部分と底部部分とを有するプラスティック材料で形成された果汁抽出器であって、前記果汁抽出器の前記底部部分が、果物、野菜、およびベリーのうちの少なくとも１つの果汁供給源の中へ挿入されるように適合されており、前記果汁抽出器が、前記果物、野菜、およびベリーのうちの少なくとも１つから果汁を収集するためのキャビティーを画定する内面を有する部分を備える、果汁抽出器と、
上部部分と底部部分とを備えるスプレーディスペンサーであって、前記スプレーディスペンサーが、スプレーポンプを備え、前記スプレーポンプが、前記スプレーディスペンサーの前記上部部分の中に部分的に配設され、前記スプレーディスペンサーの前記上部部分から延在しており、前記スプレーディスペンサーの前記底部部分が、前記果汁抽出器の前記上部部分に連結されており、前記スプレーポンプが、前記果物、野菜、およびベリーのうちの少なくとも１つから果汁を収集するための前記キャビティーの中に配設される下側端部を有するチューブを備える、スプレーディスペンサーと、を備え、
前記果汁抽出器が、前記チューブに進入する前に、果汁をろ過するように構成されており、
前記スプレーディスペンサーが、果物、野菜、およびベリーのうちの前記少なくとも１つから抽出される果汁をスプレーするように動作可能である、
デバイス。
【請求項２】
前記果汁抽出器の前記底部部分が、複数の開口部を画定する凹面状の表面を有する下側端部を備え、前記果汁抽出器の前記下側端部が、鋸歯状の縁部を画定する、請求項１に記載のデバイス。
【請求項３】
前記果汁抽出器の前記底部部分が、前記キャビティーの中へ果汁を案内するための複数のチャネルを画定する、請求項１または請求項２に記載のデバイス。
【請求項４】
前記果汁抽出器が、フィルターをさらに備え、前記フィルターが、前記キャビティーの中に配設され、果物の粒子が前記キャビティーの中へ流れ込むことを防止するように構成されており、前記フィルターが、取り外し可能である、請求項１乃至請求項３のいずれかに記載のデバイス。
【請求項５】
前記デバイスが、前記キャビティーと前記スプレーディスペンサーとを通過する軸線に対して実質的に垂直に延在する表面を備え、それによって、前記果物、野菜、およびベリーのうちの少なくとも１つの中へ前記デバイスを挿入するための挿入停止点を画定し、前記スプレーディスペンサーの上部部分が、底部部分に向かってフレア形状になっており、前記フレア形状部分が、前記スプレーディスペンサーの下側端部の直径よりも大きい直径を有し、前記フレア形状部分の底部表面が、前記挿入停止点を形成している、請求項１乃至請求項４のいずれかに記載のデバイス。
【請求項６】
前記スプレーポンプが、
スプレー出口を有するポンプ起動装置であって、前記ポンプ起動装置が、前記キャビティーの中に収集されている果汁を、散布のために前記スプレー出口に向かって前記スプレーポンプの前記チューブの中に流れさせるために、押されるように構成されている、ポンプ起動装置を
さらに備える、請求項１乃至請求項５のいずれかに記載のデバイス。
【請求項７】
前記スプレーディスペンサーと前記果汁抽出器とが、ねじ式の連結部を介して、分離可能に連結される、請求項１乃至請求項６のいずれかに記載のデバイス。
【請求項８】
果汁をスプレーするための方法であって、
果汁を収集するために請求項１乃至請求項７のいずれかの前記デバイスを、果物、野菜、およびベリーのうちの少なくとも１つである果汁供給源の中へ挿入することと、
前記デバイスのスプレー出口を所望の方向に方向付けることと、
前記所望の方向に前記果汁をスプレーするために、ポンプ起動装置を押して、前記デバイスの前記キャビティーの中に収集されている果汁を、スプレー出口に向かって、前記スプレーポンプの前記チューブの中に流れさせることと
を備える、方法。
【請求項９】
挿入する前記ステップが、鋸歯状の縁部を有する果汁抽出器部分の下側端部を回転させることを備えており、前記鋸歯状の縁部が、前記果汁供給源の皮領域を貫通し、前記キャビティーが、果汁で満たされるようになっている、請求項８に記載の方法。
【請求項１０】
請求項１乃至請求項７のいずれかの装置の前記果汁抽出器を前記スプレーディスペンサーから分離することと、
果汁または破片を除去するために前記果汁抽出器を洗浄することと、を備え、
前記果汁または破片の供給源が、果物、野菜、およびベリーのうちの少なくとも１つである、方法。
【請求項１１】
請求項１乃至請求項７のいずれかに記載の装置の前記果汁抽出器を前記スプレーディスペンサーに連結することをさらに備える、請求項１０に記載の方法。
【請求項１２】
請求項７の装置の前記果汁抽出器を、前記ねじ式の連結部を介して、前記スプレーディスペンサーに連結することをさらに備える、請求項１０または請求項１１に記載の方法。
【請求項１３】
前記果汁供給源が、果物であり、前記スプレーディスペンサーが、前記果汁抽出器によって前記果物から抽出された果汁をスプレーするように作動可能であり、前記果汁抽出器が、外部表面の上にスクリューのようなねじ山が付けられる、請求項１乃至請求項７のいずれかに記載のデバイス。
【手続補正書】
【提出日】平成27年4月17日(2015.4.17)
【手続補正１】
【補正対象書類名】特許請求の範囲
【補正対象項目名】全文
【補正方法】変更
【補正の内容】
【特許請求の範囲】
【請求項１】
埋め込み型外科用メッシュであって、
規定のパターンで互いに示差的に結びつき、複数の相互連結を形成する少なくとも２本の糸からなる布地であって、その相互連結のそれぞれにおいて、前記布地に張力が加わり、前記布地のメッシュが切断されるときに、前記糸が互いに離れることを実質的に阻止するように、前記糸が固定して結びつき、前記メッシュが、個々のメッシュの正確な長さについてガイダンスを提供するため、および個々の外科用メッシュをツールが分離するためのガイダンスを提供するために、個々のメッシュ間の分離領域を規定するパターンレイアウトを有する布地を含むメッシュ。
【請求項２】
前記示差的に結びついた糸が異なる材料から形成される、請求項１に記載のメッシュ。
【請求項３】
前記示差的に結びついた糸が異なる張力を有する、請求項１に記載のメッシュ。
【請求項４】
前記示差的に結びついた糸が異なる直径を有する、請求項１に記載のメッシュ。
【請求項５】
前記示差的に結びついた糸が異なる弾性特性を有する、請求項１に記載のメッシュ。
【請求項６】
前記示差的に結びついた糸が異なる長さを有する、請求項１に記載のメッシュ。
【請求項７】
少なくとも１本の糸がシルクである、請求項１に記載のメッシュ。
【請求項８】
前記布地が編み生地である、請求項１に記載のメッシュ。
【請求項９】
前記糸の規定のパターンが複数の開口部を形成し、組織を内部成長させることを可能にする、請求項１に記載のメッシュ。
【請求項１０】
埋め込み型外科用メッシュであって、
規定のパターンで互いに示差的に結びつき、複数の相互連結を形成する少なくとも２本の糸からなる布地であって、その相互連結のそれぞれにおいて、前記布地に張力が加わり、前記布地のメッシュが切断されるときに、前記糸が互いに離れることを実質的に阻止するように、前記糸が固定して結びつき、前記糸の規定のパターンが、複数の開口部を形成し、組織を内部成長させ、前記糸が、繊維層を形成するようにともによられたシルク繊維から作られたより糸であり、その得られた繊維層のうちの３つをさらに組み合わせる布地を含むメッシュ。
【請求項１１】
前記布地が編み生地である、請求項１０に記載のメッシュ。
【請求項１２】
少なくとも２本の糸が反対のステッチパターンで編まれる、請求項１０に記載のメッシュ。
【請求項１３】
少なくとも１本の糸がシルクである、請求項１０に記載のメッシュ。
【請求項１４】
人工デバイスのためのニットメッシュを作製するための方法であって、前記方法は、ウェール方向の２つの動きおよびコース方向の２つの動きの４つの編み合わせの動きを含み、前記ウェール方向の前記２つの動きは、
前記ウェール方向に第１のセットおよび第２のセットの糸を適用することを含み、
前記第１のセットの糸および前記第２のセットの糸は、交互に適用され、ジグザグ状のループを形成し、前記第１のセットの糸は、前記第２のセットの糸と交絡し、前記ニットメッシュのノードを規定し、前記第１のセットの糸および前記第２のセットの糸の前記交互の適用により、前記第１のセットの糸に前記ノードで前記第２のセットの糸に対して異なる張力を生じさせ、張力の差が、切断時に、前記ニットメッシュが解体することを実質的に防ぎ、前記糸が、セリシンを枯渇させたシルクから作られ、前記メッシュに孔を形成する、方法。
【手続補正書】
【提出日】平成27年5月1日(2015.5.1)
【手続補正１】
【補正対象書類名】特許請求の範囲
【補正対象項目名】全文
【補正方法】変更
【補正の内容】
【特許請求の範囲】
【請求項１】
管腔内埋め込み型医療デバイスを製造する方法であって、
ａ．壁表面、外壁表面、および約１０〜約６０ミクロンの壁厚を有する管腔内埋め込み型表面を提供するステップと、
ｂ．前記管腔内埋め込み型表面にパターン設計を形成するステップと、
ｃ．内面にレーザ加工法を適用することにより前記内面に少なくとも１つの溝を作製するステップと、を含む、方法。
【請求項２】
前記作製するステップは、
ａ．前記埋め込み型医療デバイスの縦軸に沿ってレーザビームを位置付けるステップと、
ｂ．前記レーザビームを前記縦軸に沿って位置付けられた鏡と整合させるステップと、
ｃ．前記レーザビームを前記内壁表面に再誘導するステップと、をさらに含む、請求項１に記載の方法。
【請求項３】
前記再誘導するステップは、前記内壁表面に対して前記鏡を移動させることおよび回転させることのうちの少なくとも１つをさらに含む、請求項２に記載の方法。
【請求項４】
前記レーザ加工法は、フェムト秒レーザを使用すること、エキシマレーザを使用すること、水を用いるレーザを使用すること、およびレーザを用いた化学的加工からなるレーザ加工法の群から選択される、請求項１に記載の方法。
【請求項５】
前記形成するステップは、前記パターン設計を形成するために、フェムト秒レーザを使用すること、エキシマレーザを使用すること、水を用いるレーザを使用すること、およびレーザを用いた化学的加工からなるレーザ加工法の群から選択される第２のレーザ加工法を適用することをさらに含む、請求項１に記載の方法。
【請求項６】
前記形成するステップは、前記パターン設計を形成するためにフォトリソグラフィー法を適用することをさらに含む、請求項１に記載の方法。
【請求項７】
前記提供するステップは、拡張構成にある前記管腔内埋め込み型表面を提供することをさらに含む、請求項１に記載の方法。
【請求項８】
前記壁厚は、少なくとも１つの真空蒸着された金属の層を含む、請求項１に記載の方法。
【請求項９】
管腔内埋め込み型表面を製造する方法であって、
ａ．内壁表面および外壁表面を有する管腔内埋め込み型表面を提供するステップと、
ｂ．前記管腔内埋め込み型表面にパターン設計を形成するステップと、
ｃ．所望のパターンの画像を作製するために、少なくとも１つの壁表面にレーザ加工法を適用することにより前記内壁表面および前記外壁表面のうちの少なくとも１つを事前に構築するステップと、
ｄ．前記少なくとも１つの表面を覆い、かつ前記所望のパターンを含むパターン化表面を作製するために、前記所望のパターンの前記画像の上に材料を真空蒸着するステップと、を含み、
ｅ．前記少なくとも１つの表面を覆う前記パターン化表面を含む壁厚は、約１０〜約６０ミクロンである、方法。
【請求項１０】
前記事前に構築するステップおよび真空蒸着するステップは、前記内壁表面および外壁表面の各々のパターン化表面を含む前記壁厚が約１０〜６０ミクロンになるように、前記内壁表面および前記外壁表面の両方に適用される、請求項９に記載の方法。
【請求項１１】
前記レーザ加工法は、フェムト秒レーザを使用すること、エキシマレーザを使用すること、水を用いるレーザを使用すること、およびレーザを用いた化学的加工からなるレーザ加工法の群から選択される、請求項９に記載の方法。
【請求項１２】
前記形成するステップは、前記パターン設計を形成するために、フェムト秒レーザを使用すること、エキシマレーザを使用すること、水を用いるレーザを使用すること、およびレーザを用いた化学的加工からなるレーザ加工法の群から選択される第２のレーザ加工法を適用することをさらに含む、請求項９に記載の方法。
【請求項１３】
前記形成するステップは、前記パターン設計を形成するためにフォトリソグラフィー法を適用することをさらに含む、請求項９に記載の方法。
【請求項１４】
前記フォトリソグラフィー法は、
ａ．前記埋め込み型医療デバイスの表面を感光材料で被覆するステップと、
ｂ．前記感光材料で被覆された前記表面上にマスクを付着するステップと、
ｃ．前記表面を光源で照射するステップと、
ｄ．前記表面から前記マスクを除去するステップと、
ｅ．前記パターン設計を形成するために前記表面を化学エッチングするステップと、を含む、請求項１３に記載の方法。
【請求項１５】
前記光源は、単一平面に複数のビームを有する同軸光源である、請求項１４に記載の方法。
【手続補正書】
【提出日】平成27年5月25日(2015.5.25)
【手続補正１】
【補正対象書類名】特許請求の範囲
【補正対象項目名】全文
【補正方法】変更
【補正の内容】
【特許請求の範囲】
【請求項１】
身体管腔中に収まるように寸法決めされた外表面であって、その１つまたは２つ以上の領域が組織採取面を有する、前記外表面を含む、拡張可能デバイスであって、該拡張可能デバイスが収縮しているときには、前記外表面は、内部折り目および外部折り目を有し、前記組織採取面が、前記外表面の１つまたは２つ以上の内部折り目上にあり、１つまたは２つ以上の外部折り目上にはない、前記拡張可能デバイス。
【請求項２】
デバイスがバルーンであり、
任意に、バルーンが、ラテックス、シリコーンエラストマー、ブタジエン／アクリロ窒化物コポリマー、コポリエステル、エチレンビニルアセテート（ＥＶＢ）ポリマー、エチレン／アクリルコポリマー、エチレン／プロピレンコポリマー、ポリアルキルアクリレートポリマー、ポリブタジエン、ポリブチレン、ポリエチレン、ポリイソブチレン、ポリイソプレン、ポリウレタン、スチレンブタジエンコポリマー、およびスチレン−エチレン／ブチレン−スチレン、ポリエステル、ポリオレフィン、ポリアミド、ポリ塩化ビニル、またはそれらの組合せで製作されており、
任意に、バルーンが、１つまたは２つ以上の膨張可能コンパートメントを有し、
任意に、バルーンの形状が、丸、円錐、長円、および組織特有からなる群から選択され、
任意に、組織特有形状が、身体管腔の近似鏡像形状である、請求項１に記載の拡張可能デバイス。
【請求項３】
組織採取面が、研磨用表面であり、
任意に、研磨用表面が、微粒子の被膜であり、
任意に、微粒子が、シリカ、生体適合性プラスチック、バイオポリマー、またはそれらの組合せからなり、
任意に、組織採取面が、交互の内部折り目上にある、請求項１または２に記載の拡張可能デバイス。
【請求項４】
組織採取面が、膨張した拡張可能デバイスの外表面上にパターンを形成し、
任意に、組織採取面が、外部折り目上にはなく、
任意に、組織採取面が、すべての内部折り目上にあり、
任意に、拡張可能デバイスが、拡張構成と緊縮構成を有し、デバイスが緊縮構成にあるときに、内部折り目と外部折り目がプリーツ折りになっており、
任意に、拡張可能デバイスは、チューブまたは導管に取り付けられている、請求項１〜３のいずれか一項に記載の拡張可能デバイス。
【請求項５】
拡張可能デバイスに作用剤が被覆されており、
任意に、拡張可能デバイスの内部折り目上に作用剤が被覆されており、
任意に、作用剤が、治療剤、診断剤、または造影剤である、請求項１〜４のいずれか一項に記載の拡張可能デバイス。
【請求項６】
食道中に収まるように寸法決めされた外表面を有するバルーンであって、外表面の１つまたは２つ以上の領域が組織採取面を有するバルーンと、
近端領域および遠端領域を有する支持部材と
を含む、バルーン細胞診デバイスであって、
前記支持部材は、前記遠端領域において前記バルーンに連結されており、前記近端領域と前記遠端領域の間の前記支持部材の最小長さが１０ｃｍであり、前記支持部材が、前記バルーンを膨張させるために前記バルーンにガスまたは液体を転送する中空コンパートメントを含む、前記バルーン細胞診デバイス。
【請求項７】
バルーン細胞診デバイスがチューブまたは導管に取り付けられており、
任意に、バルーン細胞診デバイスに、作用剤が被覆されており、
任意に、作用剤が、拡張可能デバイスの内部折り目上に被覆されており、
任意に、作用剤が、治療剤、診断剤、または造影剤である、請求項６に記載のバルーン細胞診デバイス。
【請求項８】
（ａ）支持部材、および
（ｂ）前記支持部材に連結されている、請求項１〜５のいずれか一項に記載の拡張可能デバイス
を含み、任意に、ガイドワイヤを含む、装置。
【請求項９】
支持部材が、ヒドロゲル、シリコーン、ポリエチレン、ポリプロピレン、ポリウレタン、ポリカプロラクトン、ポリテトラフルオロエチレン（ＰＴＦＥ）、それらのコポリマー、またはそれらの組合せからなり、
任意に、支持部材が、カテーテルまたはスタイレットであり、
任意に、支持部材が、近端領域と遠端領域を有し、バルーンが、前記遠端領域に位置しており、
任意に、支持部材が、遠端領域にガイドを含み、
任意に、装置が、近端領域にアクチュエータを含み、
任意に、装置が、拡張可能デバイスの一部または全部を覆うカバーを含まない、請求項８に記載の装置。
【請求項１０】
（ａ）請求項８または９に記載の装置、および
（ｂ）前記装置を使用するための使用説明を取得するための、説明書または指示書を含み、
任意に、構成要素（ａ）および（ｂ）が、収納容器内に配設されている、キット。
【請求項１１】
請求項１〜５のいずれか一項に記載の拡張可能デバイスもしくは請求項８または９に記載の装置であって、該拡張可能デバイスまたは該装置は、個体から組織を採取する方法で使用されるように構成され、該方法は、
（ａ）収縮状態の拡張可能デバイスを、個体の身体管腔内部の採取部位まで前進させるステップ、
（ｂ）拡張可能デバイスを前記採取部位において拡張して、前記折り目の少なくとも一部を広げることによって、前記組織採取面を身体管腔の組織に接触させるステップ、
（ｃ）前記拡張可能デバイスの前記組織採取面上の組織を採取するステップ、
（ｄ）前記拡張可能デバイスを緊縮させるステップ、および
（ｅ）前記個体から前記緊縮された拡張可能デバイスを取り外すステップ
を含み、
任意に、身体管腔が、咽頭、喉頭、中咽頭、鼻咽頭、鼻腔、鼻、喉、気管、食道からなる群から選択される、前記拡張可能デバイスもしくは前記装置。
【請求項１２】
組織を採取するステップは、拡張可能デバイス、好ましくは、バルーンを回転させることを伴い、
任意に、バルーンが、採取部位において部分的に膨張、または、完全に膨張され、
任意に、組織を採取するステップが、バルーンを膨張させること、および収縮させること、完全に膨脹したバルーンを回転させること、および／または、完全に膨脹したバルーンを上下に動かすことを伴い、
任意に、緊縮された拡張可能デバイスが、ステントまたは保護カバーなしに、個体から取り外される、請求項１１に記載の拡張可能デバイスもしくは装置。
【請求項１３】
拡張可能デバイスがチューブまたは導管に取り付けられ、
任意に、方法が、拡張可能デバイスを緊縮させる以前、それと同時、またはその後に、チューブまたは導管を通って、器具を前進させることを含み、
任意に、作用剤が、チューブまたは導管を通って、個体に送達され、
任意に、器具がレーザーファイバ、細胞診ブラシ、アプリケータ、針、鉗子、またはブレードである、請求項１１または１２に記載の拡張可能デバイスもしくは装置。
【請求項１４】
方法が、拡張可能デバイスを緊縮させる以前、それと同時、またはその後に、作用剤を個体に送達することを含み、
任意に、作用剤が、拡張可能デバイスの表面上に被覆され、
任意に、作用剤が、拡張可能デバイスの内部折り目上に被覆され、
任意に、作用剤が、治療剤、診断剤、または造影剤である、請求項１１〜１３のいずれか一項に記載の拡張可能デバイスもしくは装置。
【手続補正書】
【提出日】平成27年4月1日(2015.4.1)
【手続補正１】
【補正対象書類名】特許請求の範囲
【補正対象項目名】全文
【補正方法】変更
【補正の内容】
【特許請求の範囲】
【請求項１】
体管腔内に配置されるように構成された、円筒形を有する植込み可能な装置であって、
前記植込み可能な装置は、
ストラットの枠組み構造と、
前記ストラットの枠組み構造に、および、前記ストラットの枠組み構造の間に適用され、前記枠組み構造内の内側領域を画定するポリマーのカバーと、
を備え、
前記ストラットの枠組み構造は、
前記円筒形の長手方向に沿って位置合わせされて配置される複数の環状セグメントであり、複数の環状セグメントの各環状セグメントが、前記植込み可能な装置の前記円筒形の円周上に配置された複数の相互接続されたアームを備え、前記複数の相互接続されたアームの各アームが、頂点を形成する角度で第１の隣接するアームと相互に接続され、かつ反対方向を向いた頂点を形成する角度で第２の隣接するアームと相互に接続されて、前記複数の環状セグメントの各環状セグメントの前記複数の相互接続されたアームが、ピークおよび谷を画定するジグザグパターンで配置される、複数の環状セグメントと、
前記複数の環状セグメントの隣接する環状セグメントの間で延び、かつ相互に接続する複数のコネクタであり、前記長手方向に隣接するコネクタが、円周方向で互いに対してオフセットされ、かついずれの頂点も、前記複数のコネクタのうちの２つ以上のコネクタに結合されることのない、交互に現れるパターンで配置される、複数のコネクタと、
前記植込み可能な装置の端部における頂点にそれぞれが結合され、かつ前記円筒形の前記円周方向に細長い開口部をそれぞれが備える第１の複数のアイレットであり、縫合糸を受け入れるように構成され、かつ前記円筒形の第１の長手方向端部に隣接して配置される第１の複数のアイレットと
を備える、植込み可能な装置。
【請求項２】
前記複数の相互接続されたアームの２つの隣接するアームにより形成される角度が約４５度である、請求項１に記載の植込み可能な装置。
【請求項３】
ストラットの前記枠組み構造が、形状記憶合金からなる、請求項１または２に記載の植込み可能な装置。
【請求項４】
ストラットの前記枠組み構造が、ニチノールの管からのレーザ切断されたものである、請求項３に記載の植込み可能な装置。
【請求項５】
第２の複数のアイレットをさらに備え、前記第２の複数のアイレットの各アイレットが、前記植込み可能な装置の前記第１の端部の長手方向で反対側にある、前記植込み可能な装置の第２の端部における頂点に結合され、かつ前記円筒形の前記円周方向に細長い開口部を備え、前記第２の複数のアイレットが、第２の縫合糸を受け入れるように構成される、請求項１から４のいずれかに記載の植込み可能な装置。
【請求項６】
前記複数の相互接続されたアームの各アームが湾曲し、かつ屈曲点を有する、請求項１から５のいずれかに記載の植込み可能な装置。
【請求項７】
前記植込み可能な装置が近位端、遠位端、および中央部を画定し、前記近位端と遠位端に隣接して配置されたストラットアームが、前記中央部に配置されたストラットアームよりも長い、請求項１から６のいずれかに記載の植込み可能な装置。
【請求項８】
前記近位端および遠位端に隣接して配置されたコネクタが、前記中央部に配置されたコネクタよりも長い、請求項７に記載の植込み可能な装置。
【請求項９】
前記ポリマーカバーが、第１の層および第２の層を備え、前記第１の層および第２の層の少なくとも一方がシリコーンを備える、請求項１から８のいずれかに記載の植込み可能な装置。
【請求項１０】
前記複数のコネクタのうちの１つまたは複数のコネクタが、オメガ形状の部分を備える、請求項１から９のいずれかに記載の植込み可能な装置。
【請求項１１】
前記複数の環状セグメントのうちの１つまたは複数が、前記植込み可能な装置に加えられる軸方向力に応じて、直径を縮小するように構成される、請求項１から１０のいずれかに記載の植込み可能な装置。
【請求項１２】
前記複数の相互接続されたアームの２つの隣接するアームにより形成される角度における内側半径が、約１５ミクロンから約９５ミクロンである、請求項１から１１のいずれかに記載の植込み可能な装置。
【請求項１３】
前記装置が、約７０ｍｍから約１５０ｍｍの長手方向長さを有する、請求項１から１２のいずれかに記載の植込み可能な装置。
【請求項１４】
前記装置が、約１２ｍｍから約２５ｍｍの直径を有する、請求項１から１３のいずれかに記載の植込み可能な装置。
【請求項１５】
体管腔内に配置されるように構成された、概して円筒形を有する植込み可能な装置であって、
前記植込み可能な装置は、ストラットの枠組み構造を備え、
前記ストラットの枠組み構造は、
前記円筒形の長手方向に沿って位置合わせされて配置される複数の環状セグメントであり、複数の環状セグメントの各環状セグメントが、前記植込み可能な装置の前記円筒形の円周上に配置された複数の相互接続されたアームを備え、前記複数の相互接続されたアームの各アームが、隣接するアームと相互に接続されて、約３０度から約６０度の角度を形成する、複数の環状セグメントと、
前記複数の環状セグメントの隣接する環状セグメントの間で延び、かつ相互に接続する複数のコネクタであり、前記長手方向に隣接するコネクタが、円周方向で互いに対してオフセットされるように、交互に現れるパターンで配置される、複数のコネクタと、
前記円筒形の円周方向に細長い開口部を備える第１の複数のアイレットであり、縫合糸を受け入れるように構成され、かつ前記円筒形の第１の長手方向端部に隣接して配置される第１の複数のアイレットと、
前記円筒形の円周方向に細長い第２の複数のアイレットであり、縫合糸を受け入れるように構成され、かつ前記円筒形の第２の長手方向端部に隣接して配置される第２の複数のアイレットと、
を備え、
少なくとも複数の環状セグメントが、前記植込み可能な装置に加えられる軸方向力に応じて、直径を縮小するように構成される、植込み可能な装置。
【請求項１６】
ストラットの前記枠組み構造が、形状記憶合金からなる、請求項１５に記載の植込み可能な装置。
【請求項１７】
ストラットの前記枠組み構造が、約０．３０ｍｍから約０．６０ｍｍの厚さを有する、請求項１５または１６に記載の植込み可能な装置。
【請求項１８】
２つの隣接するアームの相互接続により形成される前記角度の内側半径が、約１５ミクロンから約９５ミクロンである、請求項１５から１７のいずれかに記載の植込み可能な装置。
【請求項１９】
ストラットの前記枠組み構造に結合されたカバーをさらに備える、請求項１５から１８のいずれかに記載の植込み可能な装置。
【請求項２０】
前記カバーが、第１の層および第２の層から構成され、前記第１の層および第２の層の少なくとも一方がシリコーンからなる、請求項１９に記載の植込み可能な装置。
【請求項２１】
各相互接続されたアームが湾曲し、かつ少なくとも１つの屈曲点を含む、請求項１５から２０のいずれかに記載の植込み可能な装置。
【手続補正書】
【提出日】平成27年5月22日(2015.5.22)
【手続補正１】
【補正対象書類名】特許請求の範囲
【補正対象項目名】全文
【補正方法】変更
【補正の内容】
【特許請求の範囲】
【請求項１】
移植片と整列されるように構成された照準アームであって、
少なくとも１つのアパーチャを画定する本体であって、前記アパーチャは第１の平面に沿って延びる中心軸を定め、前記中心軸は、前記第１の平面内に存在する前記本体の主軸と交差し、前記本体は、少なくとも第１及び第２の直線状のＸ線不透過性マーカーを画定する、本体を備え、
前記第１及び第２の直線状のＸ線不透過性マーカーは、第２の平面内で延び、かつ前記第２の平面に沿って互いに離間されており、前記第２の平面は前記第１の平面に平行であり、前記第１及び第２の直線状のＸ線不透過性マーカーの各々は、それぞれの位置を画定し、前記第１の直線状のＸ線不透過性マーカーの前記位置が前記少なくとも１つのアパーチャの中心軸に実質的に平行な方向及び前記主軸に平行な方向の双方に沿って前記第２の直線状のＸ線不透過性マーカーの前記位置に対して偏位するようになっており、
前記照準アームがＸ線撮影画像のソースと整列するような第１の視点から前記照準アームのＸ線撮影画像が撮られるとき、前記第１及び第２の直線状のＸ線不透過性マーカーは、途切れない実質的に直線状の線を画定するように組み合わせられ、前記第１の視点と異なる第２の視点から前記照準アームのＸ線撮影画像が撮られるとき、前記第１及び第２の直線状のＸ線不透過性マーカーは、ギザギザの線を画定するように組み合わせられる、照準アーム。
【請求項２】
前記第２の平面に平行な第３の平面内で延び、かつ前記第３の平面に沿って互いに離間されている第３及び第４のＸ線不透過性マーカーを更に備え、前記第３及び第４のＸ線不透過性マーカーの各々は、それぞれの位置を画定し、前記第３のＸ線不透過性マーカーの前記位置が前記少なくとも１つのアパーチャの中心軸に実質的に平行な方向に沿って前記第４のＸ線不透過性マーカーの前記位置に対して偏位するようになっている、請求項１に記載の照準アーム。
【請求項３】
前記Ｘ線不透過性マーカーのうちの少なくとも１つは、前記主軸に実質的に平行な方向に沿って細長く、また、前記Ｘ線不透過性マーカーのうちの少なくとも１つは、前記主軸に対して角度的に偏位した方向に沿って細長い、請求項１及び２のいずれか一項に記載の照準アーム。
【請求項４】
前記第１及び第２のＸ線不透過性マーカーは互いに対して不連続的である、請求項１〜３のいずれか一項に記載の照準アーム。
【請求項５】
前記第１及び第２のＸ線不透過性マーカーは連続的である、請求項１〜３のいずれか一項に記載の照準アーム。
【請求項６】
前記第２及び第３の平面は、前記第１の平面に対して等距離に離間されている、請求項２〜５のいずれか一項に記載の照準アーム。
【請求項７】
前記第１のＸ線不透過性マーカーの全体が、前記少なくとも１つのアパーチャの中心軸に実質的に平行な方向に沿って、前記第２のＸ線不透過性マーカーの全体に対して偏位されている、請求項１〜６のいずれか一項に記載の照準アーム。
【請求項８】
前記第１及び第２のＸ線不透過性マーカーは、前記主軸に実質的に垂直な選択された方向に沿って、前記主軸の片側に配設されている、請求項１に記載の照準アーム。
【請求項９】
前記第１及び第２のＸ線不透過性マーカーは、第１の対のＸ線不透過性マーカーを画定し、前記本体は、前記第１の対のＸ線不透過性マーカーに対して前記主軸の反対側に定置された第２の対のＸ線不透過性マーカーを画定する、請求項８に記載の照準アーム。
【請求項１０】
骨固定システムであって、
照準アームの主軸上の少なくとも１つのアパーチャを画定する照準アームを備え、前記主軸は主方向に沿って延び、前記照準アームは、複数の直線状のマーカーを有し、前記複数の直線状のマーカーは、前記主方向を含む方向成分を含んだ方向に沿って細長い、少なくとも１対のＸ線不透過性マーカーを含み、前記１対のＸ線不透過性マーカーの各々は、それらの間にギャップを画定し、１）前記照準アームがＸ線撮影画像のソースと整列されていない間に前記照準アームのＸ線撮影画像が第１の視点から撮られると、前記複数の直線状のマーカーのうちの他のものは、前記ギャップを横切って延びる単一の途切れない実質的に直線状の線を画定するために前記１対のＸ線不透過性マーカーと協働せず、２）前記照準アームが前記Ｘ線撮影画像のソースと整列するような、前記第１の視点とは異なる第２の視点から、前記照準アームのＸ線撮影画像が撮られると、前記複数の直線状のマーカーのうちの第１のＸ線不透過性マーカーが、前記ギャップの中に配設され、かつ、前記ギャップを横切る前記単一の途切れない実質的に直線状の線を画定するために前記１対のＸ線不透過性マーカーと協働する、骨固定システム。
【請求項１１】
少なくとも１つのアパーチャを画定する移植片を更に備え、前記少なくとも１つのアパーチャと前記照準アームとの所定の空間的関係により、前記移植片が前記照準アームと整列されているか否かが示唆される、請求項１０に記載の骨固定システム。
【請求項１２】
前記第１及び第２のＸ線撮影画像は、前記Ｘ線不透過性マーカーによって画定される少なくとも１本の線の形状を含む、請求項１０及び１１のいずれか一項に記載の骨固定システム。
【請求項１３】
前記第１のＸ線撮影画像はギザギザの線であり、前記第２のＸ線撮影画像は実質的に直線状の線である、請求項１０〜１２のいずれか一項に記載の骨固定システム。
【請求項１４】
前記Ｘ線不透過性マーカーは、第１及び第２の列をなして配列され、前記少なくとも１つのアパーチャが前記第１の列と前記第２の列との間に配設されるようになっている、請求項１０〜１３のいずれか一項に記載の骨固定システム。
【請求項１５】
前記Ｘ線不透過性マーカーは、前記Ｘ線撮影画像上の所望の方向に沿って積み重ねられ、前記第１のＸ線撮影画像は、前記Ｘ線撮影画像の前記ソースを前記照準アームと整列させるために、前記Ｘ線撮影画像の前記ソースを前記照準アームに対して移動させる前記所望の方向を示す、請求項１０〜１４のいずれか一項に記載の骨固定システム。